【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
ソーシャル・ネットワーキング・システムが、ニュースフィードにおいて、前記ソーシャル・ネットワーキング・システムのユーザに提示された１組の投稿をレビューする工程であって、各投稿は、前記ソーシャル・ネットワーキング・システム内のページに関連付けられている、工程と、
１以上の露出尺度により、レビューされた前記１組の投稿のうちの各投稿に対するユーザ・エンゲージメントの程度を測定する工程と、
レビューされた前記１組の投稿から、所与の露出尺度についての閾値ユーザ・エンゲージメント・レベルを超えるユーザ・エンゲージメントの対応する程度を有する投稿を識別する工程であって、前記投稿は、前記閾値ユーザ・エンゲージメント・レベルを超える高エンゲージメント・ポストとして識別される、工程と、
前記ソーシャル・ネットワーキング・システムが、識別された前記高エンゲージメント・ポストのページに関連付けられている管理者に通知する工程と、
前記ソーシャル・ネットワーキング・システムが、識別された前記高エンゲージメント・ポストの前記ページに関連付けられている前記管理者に対して前記高エンゲージメント・ポストを示す標識をユーザインタフェースにおいてレビューされた前記１組の投稿のうちの１以上の他の投稿を示す標識とともに提供する工程であって、前記ユーザインタフェースは、
１）前記高エンゲージメント・ポストおよび前記１以上の他の投稿に対する１以上の露出尺度に対応する統計と、
２）前記管理者によって選択されると前記ソーシャル・ネットワーキング・システムが前記ユーザインタフェースからの前記高エンゲージメント・ポストおよび前記１以上の他の投稿のうちの少なくとも１つをプロモートすることを可能にするプロモート用オプションであって、前記プロモート用オプションを通じて投稿をプロモートすることは、金銭的報酬と引き換えに、前記ニュースフィードにおける前記投稿のランクを他のプロモートされてない投稿よりも所定の期間相対的に上げる、前記プロモート用オプションと、
を表示する、前記提供する工程と、
識別された前記高エンゲージメント・ポストに関連付けられているプロモート用オプションの選択を前記ページの前記管理者から受信したことに応答して、前記ソーシャル・ネットワーキング・システムの１以上のさらなるユーザの前記ソーシャル・ネットワーキング・システムによって提供された前記ニュースフィードにおいて識別された前記高エンゲージメント・ポストのランクを前記１以上のさらなるユーザの各々に対して他のプロモートされてない投稿よりも前記所定の期間相対的に上げる工程と
を備える方法。
【請求項２】
レビューされた前記１組の投稿のうちの特定の投稿についての露出尺度は、前記特定の投稿の作成時刻より後の時点である、請求項１に記載の方法。
【請求項３】
前記特定の投稿の前記作成時刻より後の前記時点において前記特定の投稿に対するユーザ・エンゲージメントの程度を測定する工程は、
前記時点までの前記特定の投稿に関連付けられているエンゲージメント・イベントの総カウント数を測定する工程と、
前記特定の時点までの前記特定の投稿のユーザ・インプレッションの総カウント数を測定する工程と、
前記エンゲージメント・イベントの総カウント数を前記ユーザ・インプレッションの総カウント数によって正規化する工程と
を含む、請求項２に記載の方法。
【請求項４】
レビューされた前記１組の投稿のうちの特定の投稿についての露出尺度は、前記特定の投稿のユーザ・インプレッションを表す、請求項１に記載の方法。
【請求項５】
これまでのユーザ・インプレッションの特定の集計カウント数において前記特定の投稿に対するユーザ・エンゲージメントの程度を測定する工程は、
前記これまでのユーザ・インプレッションの中からエンゲージメント・イベントの総カウント数を測定する工程
を含む、請求項４に記載の方法。
【請求項６】
レビューされた前記１組の投稿のうちの特定の投稿に対するユーザ・エンゲージメントは、前記特定の投稿に対するユーザの「いいね！」、前記特定の投稿に対するユーザ・コメント、および前記特定の投稿のユーザ・シェアからなる群から選択されるエンゲージメント・イベントを含む、請求項１に記載の方法。
【請求項７】
前記１組の投稿のうちの特定の投稿に対するユーザ・エンゲージメントの程度を測定する工程は、
前記ソーシャル・ネットワーキング・システムの１以上のユーザが、前記特定の投稿を提示された後に、エンゲージメント・イベントを実行する蓋然性を決定する工程
を含む、請求項１に記載の方法。
【請求項８】
前記所与の露出尺度についての閾値ユーザ・エンゲージメント・レベルは、前記所与の露出尺度に対する、前記ソーシャル・ネットワーキング・システムにおける１以上の他の投稿とのユーザ・エンゲージメントの累積尺度の所定の割合に基づいて計算される、請求項１に記載の方法。
【請求項９】
前記所与の露出尺度についての閾値ユーザ・エンゲージメント・レベルは、前記所与の露出尺度との事前に定義された関係を有する、請求項１に記載の方法。
【請求項１０】
複数の露出尺度の各々により高エンゲージメント・ポストとして識別された複数の投稿を前記管理者に対して提示する工程
をさらに備える、請求項１に記載の方法。
【請求項１１】
識別された前記高エンゲージメント・ポストの前記ランクは、前記管理者または前記ソーシャル・ネットワーキング・システムによって指定された所定の持続時間、前記１以上のさらなるユーザの各々の前記ニュースフィードにおいて上げられる、請求項１に記載の方法。
【請求項１２】
識別された前記高エンゲージメント・ポストの前記ランクは、識別された前記高エンゲージメント・ポストについての目標露出尺度に到達するまで、前記１以上のさらなるユーザの各々の前記ニュースフィードにおいて上げられ、前記目標露出尺度が、ユーザ・インプレッションの目標カウント数である、請求項１に記載の方法。
【請求項１３】
識別された前記高エンゲージメント・ポストの前記ランクは、識別された前記高エンゲージメント・ポストについてのエンゲージメント・イベントの目標尺度に達成するまで、前記１以上のさらなるユーザの各々の前記ニュースフィードにおいて上げられる、請求項１に記載の方法。
【請求項１４】
前記１以上のさらなるユーザは、レビューされた前記１組の投稿と直接的に対話を行ったことがないユーザを含む、請求項１に記載の方法。
【請求項１５】
識別された前記高エンゲージメント・ポストのランクを上げる前記工程は、
識別された前記高エンゲージメント・ポストを前記ニュースフィードにおいて前記ソーシャル・ネットワーキング・システムの前記１以上のさらなるユーザに対して強調する工程と、
識別された前記高エンゲージメント・ポストを前記ニュースフィードにおいて視覚的に目立たせる工程と
をさらに備える、請求項１に記載の方法。
【請求項１６】
プロセッサと、
前記プロセッサに結合されているメモリとを備え、前記メモリは、それ自体に符号化された命令を有し、前記命令が前記プロセッサによって実行されたとき、
ニュースフィードにおいてソーシャル・ネットワーキング・システムのユーザに提示された１組の投稿をレビューする工程と、
１以上の露出尺度により、レビューされた前記１組の投稿のうちの各投稿に対するユーザ・エンゲージメントの程度を測定する工程と、
レビューされた前記１組の投稿から、所与の露出尺度についての閾値ユーザ・エンゲージメント・レベルを超えるユーザ・エンゲージメントの対応する程度を有する投稿を識別する工程であって、前記投稿は、前記閾値ユーザ・エンゲージメント・レベルを超える高エンゲージメント・ポストとして識別される、工程と、
前記ソーシャル・ネットワーキング・システムが、識別された前記高エンゲージメント・ポストのページに関連付けられている管理者に通知する工程と、
前記ソーシャル・ネットワーキング・システムが、識別された前記高エンゲージメント・ポストの前記ページに関連付けられている前記管理者に対して前記高エンゲージメント・ポストを示す標識をユーザインタフェースにおいてレビューされた前記１組の投稿のうちの１以上の他の投稿を示す標識とともに提供する工程であって、前記ユーザインタフェースは、
１）前記高エンゲージメント・ポストおよび前記１以上の他の投稿に対する１以上の露出尺度に対応する統計と、
２）前記管理者によって選択されると前記ソーシャル・ネットワーキング・システムが前記ユーザインタフェースからの前記高エンゲージメント・ポストおよび前記１以上の他の投稿のうちの少なくとも１つをプロモートすることを可能にするプロモート用オプションであって、前記プロモート用オプションを通じて投稿をプロモートすることは、金銭的報酬と引き換えに、前記ニュースフィードにおける前記投稿のランクを他のプロモートされてない投稿よりも所定の期間相対的に上げる、前記プロモート用オプションと、
を表示する、前記提供する工程と、
識別された前記高エンゲージメント・ポストに関連付けられているプロモート用オプションの選択を前記ページの前記管理者から受信したことに応答して、前記ソーシャル・ネットワーキング・システムの１以上のさらなるユーザの前記ソーシャル・ネットワーキング・システムによって提供された前記ニュースフィードにおいて識別された前記高エンゲージメント・ポストのランクを前記１以上のさらなるユーザの各々に対して他のプロモートされてない投稿よりも前記所定の期間相対的に上げる工程と、
を前記プロセッサに行わせる、コンピュータ・システム。
【請求項１７】
レビューされた前記１組の投稿のうちの特定の投稿についての露出尺度は、前記特定の投稿の作成時刻より後の時点である、請求項１６に記載のコンピュータ・システム。
【請求項１８】
前記命令は、
前記時点までの前記特定の投稿に関連付けられているエンゲージメント・イベントの総カウント数を測定する工程であって、前記エンゲージメント・イベントは、前記特定の投稿に対するユーザの「いいね！」、前記特定の投稿に対するユーザ・コメント、および前記特定の投稿のユーザ・シェアからなる群から選択される、工程と、
前記特定の時点までの前記特定の投稿のユーザ・インプレッションの総カウント数を測定する工程と、
前記エンゲージメント・イベントの総カウント数を前記ユーザ・インプレッションの総カウント数によって正規化する工程と、
を前記プロセッサに行わせることによって、前記特定の投稿の前記作成時刻より後の前記時点において前記特定の投稿に対するユーザ・エンゲージメントの程度を測定する工程を前記プロセッサにさらに行わせる、請求項１７に記載のコンピュータ・システム。
【請求項１９】
レビューされた前記１組の投稿のうちの特定の投稿についての露出尺度は、前記特定の投稿のこれまでのユーザ・インプレッションの集計カウント数を表す、請求項１６に記載のコンピュータ・システム。
【請求項２０】
前記命令は、
これまでのユーザ・インプレッションの中からエンゲージメント・イベントの総カウント数を測定する工程であって、前記エンゲージメント・イベントは、前記特定の投稿に対するユーザの「いいね！」、前記特定の投稿に対するユーザ・コメント、および前記特定の投稿のユーザ・シェアからなる群から選択される、工程を、前記プロセッサに行わせることによって、前記これまでのユーザ・インプレッションの特定の集計カウント数において前記特定の投稿に対するユーザ・エンゲージメントの程度を測定する工程を前記プロセッサにさらに行わせる、請求項１９に記載のコンピュータ・システム。
【請求項２１】
命令を含む非一時的コンピュータ可読記憶媒体であって、前記命令が、プロセッサによって実行されたとき、
ニュースフィードにおいて、ソーシャル・ネットワーキング・システム内のページに関連付けられている１組の投稿をレビューする工程と、
１以上の露出尺度により、レビューされた前記１組の投稿のうちの各投稿に対するユーザ・エンゲージメントの程度を測定する工程と、
レビューされた前記１組の投稿から、所与の露出尺度についての閾値ユーザ・エンゲージメント・レベルを超えるユーザ・エンゲージメントの対応する程度を有する投稿を識別する工程であって、前記投稿は、前記閾値ユーザ・エンゲージメント・レベルを超える高エンゲージメント・ポストとして識別される、工程と、
識別された前記高エンゲージメント・ポストのページに関連付けられている管理者に通知する工程と、
前記ソーシャル・ネットワーキング・システムが、識別された前記高エンゲージメント・ポストの前記ページに関連付けられている前記管理者に対して前記高エンゲージメント・ポストを示す標識をユーザインタフェースにおいてレビューされた前記１組の投稿のうちの１以上の他の投稿を示す標識とともに提供する工程であって、前記ユーザインタフェースは、
１）前記高エンゲージメント・ポストおよび前記１以上の他の投稿に対する１以上の露出尺度に対応する統計と、
２）前記管理者によって選択されると前記ソーシャル・ネットワーキング・システムが前記ユーザインタフェースからの前記高エンゲージメント・ポストおよび前記１以上の他の投稿のうちの少なくとも１つをプロモートすることを可能にするプロモート用オプションであって、前記プロモート用オプションを通じて投稿をプロモートすることは、金銭的報酬と引き換えに、前記ニュースフィードにおける前記投稿のランクを他のプロモートされてない投稿よりも所定の期間相対的に上げる、前記プロモート用オプションと、
を表示する、前記提供する工程と、
識別された前記高エンゲージメント・ポストに関連付けられているプロモート用オプションの選択を前記ページの前記管理者から受信したことに応答して、前記ソーシャル・ネットワーキング・システムの１以上のさらなるユーザの前記ソーシャル・ネットワーキング・システムによって提供された前記ニュースフィードにおいて識別された前記高エンゲージメント・ポストのランクを前記１以上のさらなるユーザの各々に対して他の引き上げられてない投稿よりも前記所定の期間相対的に上げる工程と、
を前記プロセッサに行わせる、媒体。
【請求項２２】
レビューされた前記１組の投稿のうちの特定の投稿についての露出尺度は、前記特定の投稿の作成時刻より後の時点である、請求項２１に記載の媒体。
【請求項２３】
前記命令は、
前記時点までの前記特定の投稿に関連付けられているエンゲージメント・イベントの総カウント数を測定する工程であって、前記エンゲージメント・イベントは、前記特定の投稿に対するユーザの「いいね！」、前記特定の投稿に対するユーザ・コメント、および前記特定の投稿のユーザ・シェアからなる群から選択される、工程と、
前記特定の時点までの前記特定の投稿のユーザ・インプレッションの総カウント数を測定する工程と、
前記エンゲージメント・イベントの総カウント数を前記ユーザ・インプレッションの総カウント数によって正規化する工程と、
を前記プロセッサに行わせることによって、前記特定の投稿の前記作成時刻より後の前記時点において前記特定の投稿に対するユーザ・エンゲージメントの程度を測定する工程を前記プロセッサにさらに行わせる、請求項２２に記載の媒体。
【請求項２４】
レビューされた前記１組の投稿のうちの特定の投稿についての露出尺度は、前記特定の投稿のこれまでのユーザ・インプレッションの集計カウント数を表す、請求項２１に記載の媒体。
【請求項２５】
前記命令は、
これまでのユーザ・インプレッションの中からエンゲージメント・イベントの総カウント数を測定する工程であって、前記エンゲージメント・イベントは、前記特定の投稿に対するユーザの「いいね！」、前記特定の投稿に対するユーザ・コメント、および前記特定の投稿のユーザ・シェアからなる群から選択される、工程を前記プロセッサに行わせることによって、前記これまでのユーザ・インプレッションの特定の集計カウント数において前記特定の投稿に対するユーザ・エンゲージメントの程度を測定する工程を前記プロセッサにさらに行わせる、請求項２４に記載の媒体。